Podtech/llm-jp-corpus-v4-ja_patent huggingface dataset:
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
遊技球の入球が可能な始動口と、
前記始動口への遊技球の入球に基づいて、大当たりについての当落判定処理に供される当落判定用乱数を取得する当落用乱数取得手段と、
前記当落用乱数取得手段により取得された当落判定用乱数を読み込み、当該読み込まれた当落判定用乱数が正常であるか否かの判定を行う正常性判定手段と、
前記正常性判定手段により正常であると判定された当落判定用乱数を記憶格納する正常乱数記憶格納手段と、
予め定められた始動条件の成立を待って、前記正常乱数記憶格納手段により記憶格納された正常な当落判定用乱数と、予め定められた一の当選確率にて大当たりが当選されるべく設定された大当たり判定値と、を比較することによって、前記大当たりについての当落判定処理を行う大当たり判定手段と、
前記大当たりについての当落判定処理にて大当たりが当選されたことに基づいて、遊技者に有利な大当たり遊技を実行しうる大当たり遊技実行手段と、
前記大当たりについての当落判定処理に供される正常な当落判定用乱数と所定の演出当たり値とを比較することによって、前記始動条件の成立および前記大当たりについての当落判定処理のいずれも待たずして、これらのいずれにも先行する先行演出についての当落判定処理を行う先行演出当落判定手段と、
前記先行演出についての当落判定処理にて前記先行演出が当選されたことに基づいて前記先行演出を実行する先行演出実行手段と、
前記当落用乱数取得手段により取得された当落判定用乱数が前記正常性判定手段により異常であると判定された場合に、当該異常であると判定された当落判定用乱数が前記大当たりについての当落判定処理に供されることなく無益となることを回避する無益回避手段と、
を備え、
前記無益回避手段は、
前記当落用乱数取得手段により取得された当落判定用乱数が前記正常性判定手段により異常であると判定されたとしても、当該異常であると判定された当落判定用乱数を、前記正常性判定手段により判定されるならば正常であると判定される当落判定用乱数に変更し、
前記正常乱数記憶格納手段は、
前記当落用乱数取得手段により取得された当落判定用乱数が前記正常性判定手段により異常であると判定された場合には、前記無益回避手段によって変更された正常な当落判定用乱数を記憶格納する
ことを特徴とする遊技機。
【請求項２】
所定の演出画像が表示される演出表示手段をさらに備え、
前記演出表示手段には、キャラクタ演出画像が表示される
請求項１に記載の遊技機。
【請求項３】
前記始動口への遊技球の入球に基づいて、リーチ判定用乱数を取得し、該取得したリーチ判定用乱数を用いて、前記演出表示手段にリーチ演出画像を表示するか否かを判定するリーチ演出判定手段をさらに備える
請求項２に記載の遊技機。
【手続補正２】
【補正対象書類名】明細書
【補正対象項目名】００１０
【補正方法】変更
【補正の内容】
【００１０】
上記課題を解決するための請求項１に係る遊技機は、遊技球の入球が可能な始動口と、前記始動口への遊技球の入球に基づいて、大当たりについての当落判定処理に供される当落判定用乱数を取得する当落用乱数取得手段と、前記当落用乱数取得手段により取得された当落判定用乱数を読み込み、当該読み込まれた当落判定用乱数が正常であるか否かの判定を行う正常性判定手段と、前記正常性判定手段により正常であると判定された当落判定用乱数を記憶格納する正常乱数記憶格納手段と、予め定められた始動条件の成立を待って、前記正常乱数記憶格納手段により記憶格納された正常な当落判定用乱数と、予め定められた一の当選確率にて大当たりが当選されるべく設定された大当たり判定値と、を比較することによって、前記大当たりについての当落判定処理を行う大当たり判定手段と、前記大当たりについての当落判定処理にて大当たりが当選されたことに基づいて、遊技者に有利な大当たり遊技を実行しうる大当たり遊技実行手段と、前記大当たりについての当落判定処理に供される正常な当落判定用乱数と所定の演出当たり値とを比較することによって、前記始動条件の成立および前記大当たりについての当落判定処理のいずれも待たずして、これらのいずれにも先行する先行演出についての当落判定処理を行う先行演出当落判定手段と、前記先行演出についての当落判定処理にて前記先行演出が当選されたことに基づいて前記先行演出を実行する先行演出実行手段と、前記当落用乱数取得手段により取得された当落判定用乱数が前記正常性判定手段により異常であると判定された場合に、当該異常であると判定された当落判定用乱数が前記大当たりについての当落判定処理に供されることなく無益となることを回避する無益回避手段と、を備え、前記無益回避手段は、前記当落用乱数取得手段により取得された当落判定用乱数が前記正常性判定手段により異常であると判定されたとしても、当該異常であると判定された当落判定用乱数を、前記正常性判定手段により判定されるならば正常であると判定される当落判定用乱数に変更し、前記正常乱数記憶格納手段は、前記当落用乱数取得手段により取得された当落判定用乱数が前記正常性判定手段により異常であると判定された場合には、前記無益回避手段によって変更された正常な当落判定用乱数を記憶格納することを特徴とする。
請求項２に係る発明は、請求項１に記載の遊技機において、所定の演出画像が表示される演出表示手段をさらに備え、前記演出表示手段には、キャラクタ演出画像が表示されることを特徴とする。
請求項３に係る発明は、請求項２に記載の遊技機において、前記始動口への遊技球の入球に基づいて、リーチ判定用乱数を取得し、該取得したリーチ判定用乱数を用いて、前記演出表示手段にリーチ演出画像を表示するか否かを判定するリーチ演出判定手段をさらに備えることを特徴とする。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
遊技球の入球が可能な始動口と、
前記始動口への遊技球の入球に基づいて、大当たりについての当落判定処理に供される当落判定用乱数を取得する当落用乱数取得手段と、
前記当落用乱数取得手段により取得された当落判定用乱数を記憶格納する乱数記憶格納手段と、
予め定められた始動条件の成立を待って、前記乱数記憶格納手段により記憶格納された当落判定用乱数と、予め定められた一の当選確率にて大当たりが当選されるべく多数のハズレ値に対して設定された所定数の大当たり値と、を比較することによって、大当たりについての当落判定処理を行う大当たり判定手段と、
前記大当たりについての当落判定処理にて大当たりが当選されたことに基づいて、遊技者に有利な大当たり遊技を実行しうる大当たり遊技実行手段と、
前記大当たりについての当落判定処理に供される当落判定用乱数と所定の演出当たり値とを比較することによって、前記始動条件の成立および前記大当たりについての当落判定処理のいずれも待たずして、これらのいずれにも先行する先行演出についての当落判定処理を行う先行演出当落判定手段と、
前記先行演出についての当落判定処理にて前記先行演出が当選されたことに基づいて前記先行演出を実行する先行演出実行手段と、
前記先行演出についての当落判定処理が行われるにあたり、前記当落用乱数取得手段により取得された当落判定用乱数が正常であるか否かの判定処理を行う正常性判定手段と、
を備え、
前記所定の演出当たり値は、前記先行演出が実行される頻度を抑制することで前記大当たりが当選される期待感を高めるべく、前記大当たり値と前記多数のハズレ値よりも極めて少ない演出ハズレ値とからなっており、
前記当落用乱数取得手段により取得された当落判定用乱数が前記正常性判定手段により異常であると判定されたとき、実行頻度が抑制されている前記先行演出を実行することによって当該先行演出の実行頻度を高めることで、前記当落用乱数取得手段により取得された当落判定用乱数が異常である旨が暗に示唆されるようにした
ことを特徴とする遊技機。
【請求項２】
所定の演出画像が表示される演出表示手段をさらに備え、
前記演出表示手段には、キャラクタ演出画像が表示される
ことを特徴とする請求項１に記載の遊技機。
【請求項３】
前記始動口への遊技球の入球に基づいて、リーチ判定用乱数を取得し、該取得したリーチ判定用乱数を用いて、前記演出表示手段にリーチ演出画像を表示するか否かを判定するリーチ演出判定手段をさらに備える
請求項２に記載の遊技機。
【手続補正２】
【補正対象書類名】明細書
【補正対象項目名】０００９
【補正方法】変更
【補正の内容】
【０００９】
上記課題を解決するための請求項１に係る遊技機は、遊技球の入球が可能な始動口と、前記始動口への遊技球の入球に基づいて、大当たりについての当落判定処理に供される当落判定用乱数を取得する当落用乱数取得手段と、前記当落用乱数取得手段により取得された当落判定用乱数を記憶格納する乱数記憶格納手段と、予め定められた始動条件の成立を待って、前記乱数記憶格納手段により記憶格納された当落判定用乱数と、予め定められた一の当選確率にて大当たりが当選されるべく多数のハズレ値に対して設定された所定数の大当たり値と、を比較することによって、大当たりについての当落判定処理を行う大当たり判定手段と、前記大当たりについての当落判定処理にて大当たりが当選されたことに基づいて、遊技者に有利な大当たり遊技を実行しうる大当たり遊技実行手段と、前記大当たりについての当落判定処理に供される当落判定用乱数と所定の演出当たり値とを比較することによって、前記始動条件の成立および前記大当たりについての当落判定処理のいずれも待たずして、これらのいずれにも先行する先行演出についての当落判定処理を行う先行演出当落判定手段と、前記先行演出についての当落判定処理にて前記先行演出が当選されたことに基づいて前記先行演出を実行する先行演出実行手段と、前記先行演出についての当落判定処理が行われるにあたり、前記当落用乱数取得手段により取得された当落判定用乱数が正常であるか否かの判定処理を行う正常性判定手段と、を備え、前記所定の演出当たり値は、前記先行演出が実行される頻度を抑制することで前記大当たりが当選される期待感を高めるべく、前記大当たり値と前記多数のハズレ値よりも極めて少ない演出ハズレ値とからなっており、前記当落用乱数取得手段により取得された当落判定用乱数が前記正常性判定手段により異常であると判定されたとき、実行頻度が抑制されている前記先行演出を実行することによって当該先行演出の実行頻度を高めることで、前記当落用乱数取得手段により取得された当落判定用乱数が異常である旨が暗に示唆されるようにしたことを特徴とする。
請求項２に係る発明は、請求項１に記載の遊技機において、所定の演出画像が表示される演出表示手段をさらに備え、前記演出表示手段には、キャラクタ演出画像が表示されることを特徴とする。
請求項３に係る発明は、請求項２に記載の遊技機において、前記始動口への遊技球の入球に基づいて、リーチ判定用乱数を取得し、該取得したリーチ判定用乱数を用いて、前記演出表示手段にリーチ演出画像を表示するか否かを判定するリーチ演出判定手段をさらに備えることを特徴とする。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
遊技球の入球が可能な始動口と、
前記始動口への遊技球の入球に基づいて、大当たりについての当落判定処理に供される当落判定用乱数を取得する当落用乱数取得手段と、
前記当落用乱数取得手段により取得された当落判定用乱数を記憶格納する乱数記憶格納手段と、
予め定められた始動条件の成立を待って、前記乱数記憶格納手段により記憶格納された当落判定用乱数と、予め定められた一の当選確率にて大当たりが当選されるべく設定された大当たり値と、を比較することによって、前記大当たりについての当落判定処理を行う大当たり判定手段と、
前記大当たりについての当落判定処理にて大当たりが当選されたことに基づいて、遊技者に有利な大当たり遊技を実行しうる大当たり遊技実行手段と、
前記大当たりについての当落判定処理に正常な当落判定用乱数が供されるように、前記当落用乱数取得手段により取得された当落判定用乱数を読み込み、当該読み込まれた当落判定用乱数が正常であるか否かの判定処理を行う正常性判定手段と、
前記当落判定用乱数が前記正常性判定手段により異常であると判定されたときに、当該異常であると判定された当落判定用乱数を正常な当落判定用乱数に変更することによって、当該異常であると判定された当落判定用乱数が前記大当たりについての当落判定処理に供されることを回避する異常判定回避手段と、
前記正常性判定手段により読み込まれた当落判定用乱数が正常であると判定された場合に、当該正常であると判定された当落判定用乱数と前記大当たり値を含む所定の演出当たり値とを比較することによって、前記始動条件の成立および前記大当たりについての当落判定処理のいずれにも先行する先行演出についての当落判定処理を行う先行演出当落判定手段と、
前記先行演出についての当落判定処理にて前記先行演出が当選されたことに基づいて、前記大当たり遊技が実行される期待感を、前記始動条件の成立および前記大当たりについての当落判定処理に先だって高めるべく前記先行演出を実行する先行演出実行手段と、
を備え、
前記当落用乱数取得手段により取得された当落判定用乱数が前記正常性判定手段により異常であると判定された場合に、
前記正常性判定手段により異常であると判定された当落判定用乱数が正常な当落判定用乱数に変更される際に、前記正常性判定手段により異常と判定されていないにもかかわらず無意味に改竄されることの疑念が生じることを回避すべく、
前記正常性判定手段により異常であると判定された当落判定用乱数を、変更することなく前記乱数記憶格納手段により記憶格納し、前記大当たりについての当落判定処理が行われるに際して正常な当落判定用乱数に変更するようにした
ことを特徴とする遊技機。
【請求項２】
所定の演出画像が表示される演出表示手段をさらに備え、
前記演出表示手段には、キャラクタ演出画像が表示される
ことを特徴とする請求項１に記載の遊技機。
【請求項３】
前記始動口への遊技球の入球に基づいて、リーチ判定用乱数を取得し、該取得したリーチ判定用乱数を用いて、前記演出表示手段にリーチ演出画像を表示するか否かを判定するリーチ演出判定手段をさらに備える
請求項２に記載の遊技機。
【手続補正２】
【補正対象書類名】明細書
【補正対象項目名】０００８
【補正方法】変更
【補正の内容】
【０００８】
上記課題を解決するための請求項１に係る遊技機は、遊技球の入球が可能な始動口と、前記始動口への遊技球の入球に基づいて、大当たりについての当落判定処理に供される当落判定用乱数を取得する当落用乱数取得手段と、前記当落用乱数取得手段により取得された当落判定用乱数を記憶格納する乱数記憶格納手段と、予め定められた始動条件の成立を待って、前記乱数記憶格納手段により記憶格納された当落判定用乱数と、予め定められた一の当選確率にて大当たりが当選されるべく設定された大当たり値と、を比較することによって、前記大当たりについての当落判定処理を行う大当たり判定手段と、前記大当たりについての当落判定処理にて大当たりが当選されたことに基づいて、遊技者に有利な大当たり遊技を実行しうる大当たり遊技実行手段と、前記大当たりについての当落判定処理に正常な当落判定用乱数が供されるように、前記当落用乱数取得手段により取得された当落判定用乱数を読み込み、当該読み込まれた当落判定用乱数が正常であるか否かの判定処理を行う正常性判定手段と、前記当落判定用乱数が前記正常性判定手段により異常であると判定されたときに、当該異常であると判定された当落判定用乱数を正常な当落判定用乱数に変更することによって、当該異常であると判定された当落判定用乱数が前記大当たりについての当落判定処理に供されることを回避する異常判定回避手段と、前記正常性判定手段により読み込まれた当落判定用乱数が正常であると判定された場合に、当該正常であると判定された当落判定用乱数と前記大当たり値を含む所定の演出当たり値とを比較することによって、前記始動条件の成立および前記大当たりについての当落判定処理のいずれにも先行する先行演出についての当落判定処理を行う先行演出当落判定手段と、前記先行演出についての当落判定処理にて前記先行演出が当選されたことに基づいて、前記大当たり遊技が実行される期待感を、前記始動条件の成立および前記大当たりについての当落判定処理に先だって高めるべく前記先行演出を実行する先行演出実行手段と、を備え、前記当落用乱数取得手段により取得された当落判定用乱数が前記正常性判定手段により異常であると判定された場合に、前記正常性判定手段により異常であると判定された当落判定用乱数が正常な当落判定用乱数に変更される際に、前記正常性判定手段により異常と判定されていないにもかかわらず無意味に改竄されることの疑念が生じることを回避すべく、前記正常性判定手段により異常であると判定された当落判定用乱数を、変更することなく前記乱数記憶格納手段により記憶格納し、前記大当たりについての当落判定処理が行われるに際して正常な当落判定用乱数に変更するようにしたことを特徴とする。
請求項２に係る発明は、請求項１に記載の遊技機において、所定の演出画像が表示される演出表示手段をさらに備え、前記演出表示手段には、キャラクタ演出画像が表示されることを特徴とする。
請求項３に係る発明は、請求項２に記載の遊技機において、前記始動口への遊技球の入球に基づいて、リーチ判定用乱数を取得し、該取得したリーチ判定用乱数を用いて、前記演出表示手段にリーチ演出画像を表示するか否かを判定するリーチ演出判定手段をさらに備えることを特徴とする。
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
始動入賞口と、前記始動入賞口を遊技球が通過したことを検出する始動入賞球検出装置と、制御装置を備え、前記制御装置は、前記始動入賞球検出装置によって遊技球が前記始動入賞口を通過したが検出されたことに起因して抽選を行い、抽選結果に基づいて遊技者に有利な大当たり遊技状態を発生させる遊技機であって、
磁気を検出する有接点式の磁気検出装置を備え、
前記制御装置は、前記磁気検出装置が磁気を検出している検出期間Ｔを測定し、下限値Ｔａと上限値Ｔｂ（０＜下限値Ｔａ＜上限値Ｔｂ）の範囲内の検出期間Ｔを設定回数Ｎ回（Ｎは２以上の整数）測定した場合には、遊技を中断することを特徴とする遊技機。
【請求項２】
開口部と、前記開口部を開閉する開閉部材と、前記開口部を通過した遊技球が移動する入賞空間および前記入賞空間に連設された特別領域を有する可変入賞装置と、前記特別領域を遊技球が通過したことを検出する特別球検出装置と、制御装置を備え、前記制御装置は、当たり遊技獲得条件の成立に起因して前記開閉部材を開制御するとともに有効期間を設定し、前記有効期間内に前記特別球検出装置によって遊技球が前記特別領域を通過したことが検出されたことによって遊技者に有利な大当たり遊技状態を発生させる遊技機であって、
磁気を検出する有接点式の磁気検出装置を備え、
前記制御装置は、前記磁気検出装置が磁気を検出している検出期間Ｔを測定し、下限値Ｔａと上限値Ｔｂ（０＜下限値Ｔａ＜上限値Ｔｂ）の範囲内の検出期間Ｔを設定回数Ｎ回（Ｎは２以上の整数）測定した場合には、遊技を中断することを特徴とする遊技機。
【請求項３】
請求項２に記載の遊技機であって、
始動入賞口と、前記始動入賞口を遊技球が通過したことを検出する始動入賞球検出装置を備え、
前記制御装置は、前記始動入賞球検出装置によって遊技球が前記始動入賞口を通過したことが検出されたことに起因して前記開閉部材を開制御するとともに前記有効期間を設定することを特徴とする遊技機。
【手続補正２】
【補正対象書類名】明細書
【補正対象項目名】０００４
【補正方法】変更
【補正の内容】
【０００４】
本発明の第１発明は、
始動入賞口と、前記始動入賞口を遊技球が通過したことを検出する始動球検出装置と、制御装置を備え、前記制御装置は、前記始動球検出装置によって遊技球が前記始動入賞口を通過したが検出されたことに起因して抽選を行い、抽選結果に基づいて遊技者に有利な大当たり遊技状態を発生させる遊技機であって、
磁気を検出する有接点式の磁気検出装置を備え、
前記制御装置は、前記磁気検出装置が磁気を検出している検出期間Ｔを測定し、下限値Ｔａと上限値Ｔｂ（０＜下限値Ｔａ＜上限値Ｔｂ）の範囲内の検出期間Ｔを設定回数Ｎ回（Ｎは２以上の整数）測定した場合には、遊技を中断することを特徴とする遊技機である。
また、本発明の第２発明は、
開口部と、前記開口部を開閉する開閉部材と、前記開口部を通過した遊技球が移動する入賞空間および前記入賞空間に連設された特別領域を有する可変入賞装置と、前記特別領域を遊技球が通過したことを検出する特別球検出装置と、制御装置を備え、前記制御装置は、当たり遊技獲得条件の成立に起因して前記開閉部材を開制御するとともに有効期間を設定し、前記有効期間内に前記特別球検出装置によって遊技球が前記特別領域を通過したことが検出されたことによって遊技者に有利な大当たり遊技状態を発生させる遊技機であって、
磁気を検出する有接点式の磁気検出装置を備え、
前記制御装置は、前記磁気検出装置が磁気を検出している検出期間Ｔを測定し、下限値Ｔａと上限値Ｔｂ（０＜下限値Ｔａ＜上限値Ｔｂ）の範囲内の検出期間Ｔを設定回数Ｎ回（Ｎは２以上の整数）測定した場合には、遊技を中断することを特徴とする遊技機である。
また、第３発明は、
第２発明の遊技機であって、
始動入賞口と、前記始動入賞口を遊技球が通過したことを検出する始動入賞球検出装置を備え、
前記制御装置は、前記始動入賞球検出装置によって遊技球が前記始動入賞口を通過したことが検出されたことに起因して前記開閉部材を開制御するとともに前記有効期間を設定することを特徴とする遊技機である。
「大当たり遊技」としては、例えば、可変入賞装置の開閉部材を、当たり遊技獲得条件成立時より長い期間開制御して、遊技球が可変入賞装置の開口部をより通過し易くする遊技態様や、大入賞口を開閉する開閉部材を開制御して遊技球が大入口に入球し易くする遊技態様が用いられる。
磁気検出装置としては、安価に入手可能な有接点式の磁気検出装置が用いられている。有接点式の磁気検出装置は、例えば、検出していない時には接点は開いており（開状態）、磁気を検出した時には接点が閉じる（閉状態）。磁気検出装置は、磁石等の磁気を用いて遊技球を不正に移動させて不正遊技を行う可能性が高い箇所に配置される。
磁気検出装置が磁気を検出している検出期間Ｔを測定する方法としては、典型的には、磁気検出装置から、磁気を検出していることを示す磁気検出信号が出力されている期間を測定する方法が用いられる。
下限値Ｔａ、上限値Ｔｂおよび設定回数Ｎは、使用する有接点式の磁気検出装置の構成や使用状態等に応じて適宜設定される。下限値Ｔａは、遊技球が遊技領域を移動する際の振動等によって磁気検出装置が誤動作する期間（例えば、接点が閉状態となる期間）より長く設定される。また、上限値Ｔｂは、磁気を用いた不正遊技が行われる際の磁気検出装置の最小の動作期間（例えば、接点が閉状態となっている期間）より短く設定される。
第１〜第３発明では、有接点式の磁気検出装置が磁気を検出している検出期間Ｔが下限値Ｔａと上限値Ｔｂの範囲内である状態が設定回数Ｎ回発生したことによって、有接点式の磁気検出装置の接点が劣化していることを判別し、遊技を中断する。これにより、有接点式の磁気検出装置の接点が劣化していることを簡単な構成で早期に、確実に検出することができ、したがって、有接点式の磁気検出装置の接点の劣化による磁気検出装置の誤動作によって遊技が中断するのを確実に防止することができる。
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
外周面の長手方向に凹部又は／及び凸部を螺旋状に形成した合成樹脂モノフィラメントからなるブラシ用毛材であって、該毛材は、クリンプ状に形成したクリンプ状部を有していることを特徴とするブラシ用毛材。
【請求項２】
外周面の長手方向に凹部又は／及び凸部を螺旋状に形成した合成樹脂モノフィラメントからなるブラシ用毛材であって、該毛材は、螺旋状に形成した螺旋状部を有していることを特徴とするブラシ用毛材。
【請求項３】
外周面の長手方向に凹部又は／及び凸部を螺旋状に形成した合成樹脂モノフィラメントからなるブラシ用毛材であって、該毛材の先端部は、直線状に形成した直線状部を有していると共に、前記先端部以外は、クリンプ状に形成したクリンプ状部又は／及び螺旋状に形成した螺旋状部を有していることを特徴とする請求項１又は２に記載のブラシ用毛材。
【請求項４】
塗装等に使用されるハケにおいて、該ハケは、毛材を束ねてなるハケ部と、取っ手部とを有するものであって、前記ハケ部は、請求項１〜３のいずれか１項に記載のブラシ用毛材を使用してあることを特徴とするハケ。
【手続補正２】
【補正対象書類名】明細書
【補正対象項目名】０００８
【補正方法】変更
【補正の内容】
【０００８】
請求項１の発明では、外周面の長手方向に凹部又は／及び凸部を螺旋状に形成した合成樹脂モノフィラメントからなるブラシ用毛材であって、該毛材は、クリンプ状に形成したクリンプ状部を有していることを特徴としている。したがって、凹部や凸部が被洗浄面に接触することによって摩擦力がアップするので、汚れを効率よく掻き出すことが出来ると共に、洗浄液等の液体が、洗浄時に螺旋状の凹部や凸部で保持されるので、洗浄性能が向上する。また、塗装用のハケに、この毛材を用いた場合、螺旋状の凹部又は凸部が塗料を保持すると共に液分が滞留する事が無く、順次新しい液分が凹部又は凸部に保持される為、塗料の垂れ流しが防止できると共に、満遍なく、均一に塗料を塗布することが出来る。さらに、クリンプ状部を有していることによって、毛材の強度を増加させることができると共に、塗料の急激な降下を防止することができる。なお、クリンプ状部とは、繊維が縮れている状態の部分の事であり、毛材に弾力性や保温性を付与できる。
【手続補正３】
【補正対象書類名】明細書
【補正対象項目名】０００９
【補正方法】変更
【補正の内容】
【０００９】
請求項２の発明では、外周面の長手方向に凹部又は／及び凸部を螺旋状に形成した合成樹脂モノフィラメントからなるブラシ用毛材であって、該毛材は、螺旋状に形成した螺旋状部を有していることを特徴としている。したがって、凹部や凸部が被洗浄面に接触することによって摩擦力がアップするので、汚れを効率よく掻き出すことが出来ると共に、洗浄液等の液体が、洗浄時に螺旋状の凹部や凸部で保持されるので、洗浄性能が向上する。また、塗装用のハケに、この毛材を用いた場合、螺旋状の凹部又は凸部が塗料を保持すると共に液分が滞留する事が無く、順次新しい液分が凹部又は凸部に保持される為、塗料の垂れ流しが防止できると共に、満遍なく、均一に塗料を塗布することが出来る。さらに、螺旋状部を有していることによって、毛材の強度を増加させることができると共に、塗料の急激な降下を防止することができる。なお、螺旋状部とは、繊維が螺旋状に旋回している状態の部分の事であり、毛材に弾力性や保温性を付与できる。
【手続補正４】
【補正対象書類名】明細書
【補正対象項目名】００１０
【補正方法】変更
【補正の内容】
【００１０】
請求項３の発明では、請求項１又は２に記載の発明において、外周面の長手方向に凹部又は／及び凸部を螺旋状に形成した合成樹脂モノフィラメントからなるブラシ用毛材であって、該毛材の先端部は、直線状に形成した直線状部を有していると共に、前記先端部以外は、クリンプ状に形成したクリンプ状部又は／及び螺旋状に形成した螺旋状部を有していることを特徴としている。したがって、凹部や凸部が被洗浄面に接触することによって摩擦力がアップするので、汚れを効率よく掻き出すことが出来ると共に、洗浄液等の液体が、洗浄時に螺旋状の凹部や凸部で保持されるので、洗浄性能が向上する。また、塗装用のハケに、この毛材を用いた場合、螺旋状の凹部又は凸部が塗料を保持すると共に液分が滞留する事が無く、順次新しい液分が凹部又は凸部に保持される為、塗料の垂れ流しが防止できると共に、満遍なく、均一に塗料を塗布することが出来る。さらに、クリンプ状部を有していることによって、毛材の強度を増加させることができると共に、塗料の急激な降下を防止することができる。また、螺旋状部を有していることによって、毛材の強度を増加させることができると共に、塗料の急激な降下を防止することができる。さらに、先端部に直線状部を有していることによって、先端部は塗料がスムースに流れ落ちて塗装ができる。その為、被塗装面に毛材の跡がつき難く、均一な塗装を行うことができる。
【手続補正５】
【補正対象書類名】明細書
【補正対象項目名】００１１
【補正方法】変更
【補正の内容】
【００１１】
請求項４の発明では、塗装等に使用されるハケにおいて、該ハケは、毛材を束ねてなるハケ部と、取っ手部とを有するものであって、前記ハケ部は、請求項１〜３のいずれか１項に記載のブラシ用毛材を使用してあることを特徴としている。したがって、凹部や凸部が被洗浄面に接触することによって摩擦力がアップするので、汚れを効率よく掻き出すことが出来ると共に、洗浄液等の液体が、洗浄時に螺旋状の凹部や凸部で保持されるので、洗浄性能が向上する。また、塗装時においては、螺旋状の凹部又は凸部が塗料を保持すると共に液分が滞留する事が無く、順次新しい液分が凹部又は凸部に保持される為、塗料の垂れ流しが防止できると共に、満遍なく、均一に塗料を塗布することが出来る。さらに、クリンプ状部を有していることによって、毛材の強度を増加させることができると共に、塗料の急激な降下を防止することができる。また、螺旋状部を有していることによって、毛材の強度を増加させることができると共に、塗料の急激な降下を防止することができる。さらに、先端部に直線状部を有していることによって、先端部は塗料がスムースに流れ落ちて塗装ができる。その為、被塗装面に毛材の跡がつき難く、均一な塗装を行うことができるハケである。
【手続補正書】
【提出日】平成23年2月16日(2011.2.16)
【手続補正１】
【補正対象書類名】明細書
【補正対象項目名】０００５
【補正方法】変更
【補正の内容】
【０００５】
このような内視鏡装置によれば、ポンプ８の作動で送られる空気は送気管３ｂから大気開放路１２Ｆを介して大気に流れており、上記送気／送水ボタン４ａ（軸部１１）の上面を押え、大気開放管１２Ｆを塞いだとき（送気操作）、送気路１２Ｅが送気管３ｂに連通することで、ポンプ８からの送気が先端面のノズルから観察窓に対して行われる。一方、送気／送水ボタン４ａを押すと（送水操作）、送気管３ｂが閉じて送水路１３Ｅが送水管３ｃに連通することで、送水タンク６内の洗浄水が観察窓へ向けて噴射される。このような送気と送水により、観察窓に付着した汚れ等を除去し、被観察体の観察状態を良好に保つことができる。
【手続補正２】
【補正対象書類名】明細書
【補正対象項目名】００２７
【補正方法】変更
【補正の内容】
【００２７】
このような送気／送水操作部（送気管及び送水管開閉機構）３９によれば、中心部上側に突出した１段目押部４４ａが押されると、第１軸体４４が単独で下側へ移動（往動）し、その連結路４４Ｅを送気管４１に連通させることで、送気管４１を開にし、更に２段目押部４５ａが押されると、第２軸体４５が第１軸体４４と共に下側へ移動し、その連結路４５Ｅを送水管４２に連通させることで、送水管４２を開にすることができる。
【手続補正３】
【補正対象書類名】図面
【補正対象項目名】図１
【補正方法】変更
【補正の内容】
【図１】
2010046333.tif 000001
【手続補正書】
【提出日】平成23年8月1日(2011.8.1)
【手続補正１】
【補正対象書類名】特許請求の範囲
【補正対象項目名】請求項１
【補正方法】変更
【補正の内容】
【請求項１】
シートをセット可能なセット面を有するセット部と、
該セット部の前記セット面上に下方から出没自在とされた検知部材が前記セット部にセットされた前記シートから受圧して没入した場合にはＯＮ検出信号を出力すると共に没入しない場合にはＯＦＦ検出信号を出力するシートセンサと、
該シートセンサから出力された検出信号に基づき前記セット部にセットされた前記シートに対して上方から当接して該シートを搬送経路の下流側へ向かって送出するときの送出位置と該送出位置から上方に離間した非送出位置との間で変位するように構成された送出部材とを備えた搬送装置におけるシートの検出方法であって、
前記送出部材を前記非送出位置から前記送出位置に変位させ、該送出位置に前記送出部材が位置している状態で前記シートセンサからＯＦＦ検出信号が出力された場合に前記セット部には前記シートが無いと検出して前記送出部材を前記送出位置から前記非送出位置に変位させることを特徴とする搬送装置におけるシートの検出方法。
【手続補正２】
【補正対象書類名】明細書
【補正対象項目名】０００６
【補正方法】変更
【補正の内容】
【０００６】
上記目的を達成するために、本発明の搬送装置におけるシートの検出方法は、シートをセット可能なセット面を有するセット部と、該セット部の前記セット面上に下方から出没自在とされた検知部材が前記セット部にセットされた前記シートから受圧して没入した場合にはＯＮ検出信号を出力すると共に没入しない場合にはＯＦＦ検出信号を出力するシートセンサと、該シートセンサから出力された検出信号に基づき前記セット部にセットされた前記シートに対して上方から当接して該シートを搬送経路の下流側へ向かって送出するときの送出位置と該送出位置から上方に離間した非送出位置との間で変位するように構成された送出部材とを備えた搬送装置におけるシートの検出方法であって、前記送出部材を前記非送出位置から前記送出位置に変位させ、該送出位置に前記送出部材が位置している状態で前記シートセンサからＯＦＦ検出信号が出力された場合に前記セット部には前記シートが無いと検出して前記送出部材を前記送出位置から前記非送出位置に変位させる。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
昇降可能なキャリッジと、キャリッジに横動可能に設けられた左右のフォークと、一方のフォークを横動すベく設けられた大径シフトシリンダと、他方のフォークを横動すべく設けられてテール室側受圧面積が大径シフトシリンダのロッド室側受圧面積と等しくされた小径シフトシリンダと、小径シフトシリンダの作動を補うべく設けられて大径シフトシリンダのテール室側受圧面積と小径シフトシリンダのロッド室側受圧面積との差分に相当する受圧面積のシリンダ室を備えた差分シフトシリンダと、大径シフトシリンダのテール室と制御弁の二次側とを接続する大径シフトシリンダ給排管と、小径シフトシリンダのロッド室と制御弁の二次側とを接続する小径シフトシリンダ給排管と、大径シフトシリンダのロッド室と小径シフトシリンダのテール室とを接続する連通管と、小径のシフトシリンダのロッド室と差分シフトシリンダのシリンダ室とを接続する導通管と、から構成した事を特徴とするフォークシフト装置。
【請求項２】
差分シフトシリンダは、他方のフォークを中心として小径シフトシリンダとは左右対称状に設けられていると共に、ラムシリンダにしてある請求項１に記載のフォークシフト装置。
【請求項３】
大径シフトシリンダ給排管と小径シフトシリンダ給排管の少なくとも何れか一方と連通管との間は、絞り弁を備えた連絡管に依り接続されている請求項１又は２に記載のフォークシフト装置。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
ポジトロン放出源の分布と集積度を測定するポジトロン断層撮影法において、当該ポジトロン放出源として、化合物（Ｉ）を用いることを特徴とするポジトロン断層撮影法。
化合物（Ｉ）
【化１】
2010037232.tif 000001
[式中、Ｒ１はポジトロン放出能を有するＣ１−６アルキル基又はポジトロン放出能を有するＣ１−６フルオロアルキル基を示し、Ｒ２は水素原子、ヒドロキシ基、ハロゲン原子、アルコキシ基、アミノ基、アルキルアミノ基、アシルアミノ基、ジアルキルアミノ基、シアノ基、ニトロ基、又はポジトロン放出能を有するハロゲン原子を示す。]
【請求項２】
ポジトロン放出源の分布と集積度を測定するポジトロン断層撮影法において、当該ポジトロン放出源として、化合物（ＩＩ）を用いることを特徴とするポジトロン断層撮影法。
化合物（ＩＩ）
【化２】
2010037232.tif 000002
[式中、Ｒ１はポジトロン放出能を有するＣ１−６アルキル基又はポジトロン放出能を有するＣ１−６フルオロアルキル基を示し、Ｒ２およびＲ３はそれぞれ独立して、水素原子、ヒドロキシ基、ハロゲン原子、アルコキシ基、アミノ基、アルキルアミノ基、アシルアミノ基、ジアルキルアミノ基、シアノ基、ニトロ基、又はポジトロン放出能を有するハロゲン原子を示す。]
【請求項３】
請求項１記載の化合物（Ｉ）におけるポジトロン放出源として、Ｒ１が１１ＣであるＣ１−６アルキル基若しくは１８ＦであるＣ１−６フルオロアルキル基、又はＲ２が１８Ｆ、７６Ｂｒ若しくは１２４Ｉであることを特徴とする請求項１に記載のポジトロン断層撮影法。
【請求項４】
請求項２記載の化合物（ＩＩ）におけるポジトロン放出源として、Ｒ１が１１ＣであるＣ１−６アルキル基若しくは１８ＦであるＣ１−６フルオロアルキル基、又はＲ２およびＲ３がそれぞれ独立して、１８Ｆ、７６Ｂｒ若しくは１２４Ｉであることを特徴とする請求項２に記載のポジトロン断層撮影法。
【請求項５】
以下の化学式で表される化合物（Ｉ）、その塩、又はそれらの水和物若しくは溶媒和物。
化合物（Ｉ）
【化１】
2010037232.tif 000003
[式中、Ｒ１はポジトロン放出能を有するＣ１−６アルキル基又はポジトロン放出能を有するＣ１−６フルオロアルキル基を示し、Ｒ２は水素原子、ヒドロキシ基、ハロゲン原子、アルコキシ基、アミノ基、アルキルアミノ基、アシルアミノ基、ジアルキルアミノ基、シアノ基、ニトロ基、又はポジトロン放出能を有するハロゲン原子を示す。]
【請求項６】
以下の化学式で表される化合物（ＩＩ）、その塩、又はそれらの水和物若しくは溶媒和物。
化合物（ＩＩ）
【化２】
2010037232.tif 000004
[式中、Ｒ１はポジトロン放出能を有するＣ１−６アルキル基又はポジトロン放出能を有するＣ１−６フルオロアルキル基を示し、Ｒ２およびＲ３はそれぞれ独立して、水素原子、ヒドロキシ基、ハロゲン原子、アルコキシ基、アミノ基、アルキルアミノ基、アシルアミノ基、ジアルキルアミノ基、シアノ基、ニトロ基、又はポジトロン放出能を有するハロゲン原子を示す。]
【請求項７】
以下の化学式で表される化合物（Ｉａ）、その塩、又はそれらの水和物若しくは溶媒和物。
化合物（Ｉａ）
【化３】
2010037232.tif 000005
【請求項８】
ポジトロン放出源の分布と集積度を測定するポジトロン断層撮影法におけるポジトロン放出源として、以下の化学式で表される化合物（Ｉａ）、その塩、又はそれらの水和物若しくは溶媒和物を用いることを特徴とするポジトロン断層撮影法。
化合物（Ｉａ）
【化３】
2010037232.tif 000006

【請求項９】
以下の化学式で表される化合物（ＩＩａ）、その塩、又はそれらの水和物若しくは溶媒和物。
化合物（ＩＩａ）
【化４】
2010037232.tif 000007
【請求項１０】
ポジトロン放出源の分布と集積度を測定するポジトロン断層撮影法におけるポジトロン放出源として、以下の化学式で表される化合物（ＩＩａ）、その塩、又はそれらの水和物若しくは溶媒和物を用いることを特徴とするポジトロン断層撮影法。
化合物（ＩＩａ）
【化４】
2010037232.tif 000008
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
次の成分（Ａ）及び（Ｂ）：
（Ａ）メントール  ０．１〜３質量％
（Ｂ）カフェイン、テオフィリン、テオブロミン及びこれらの塩からなる群から選択されるキサンチン誘導体  ０．２〜４質量％
を含有し、成分（Ｂ）と成分（Ａ）の合計量が１．２質量％以上で、かつ、成分（Ｂ）と成分（Ａ）の質量比（Ｂ／Ａ）が０．２〜２０である口腔用組成物。
【請求項２】
キサンチン誘導体がカフェインである請求項１記載の口腔用組成物。
【請求項３】
さらにリモネン、１，８−シネオール及びリナロールからなる群から選択されるモノテルペン類を含有する請求項１又は２に記載の口腔用組成物。
【請求項４】
モノテルペン類の含有量が、メントールに対して質量比で０．１〜２．０倍である請求項３記載の口腔用組成物。
【請求項５】
さらに発泡剤を含有する請求項１〜４のいずれか１項に記載の口腔用組成物。
【請求項６】
ブラシを用いて歯に適用する請求項１〜５のいずれか１項に記載の口腔用組成物。
【請求項７】
疲労感低減用の口腔用組成物である請求項１〜６のいずれか１項に記載の口腔用組成物。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
プロポリスを３０乃至７０質量％エタノール水溶液で抽出することにより得られるプロポリス抽出物を有効成分として配合した経口摂取用のアディポネクチン産生増強剤。
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
下記一般式［１］で示されることを特徴とする、縮合多環化合物。
【化１】
2010037242.tif 000001
（式［１］において、Ｒ1、Ｒ8、Ｒ11及びＲ16は、それぞれフェニル基を表す。ただし、Ｒ1、Ｒ8、Ｒ11及びＲ16で表されるフェニル基には炭素原子数が１乃至２０のアルキル基又はアリール基を有していてもよい。Ｒ2乃至Ｒ7は、それぞれ水素原子、炭素原子数が１乃至２０のアルキル基又はアリール基を表す。尚、Ｒ2乃至Ｒ7のいずれかで表される置換基がアリール基の場合、当該フェニル基には炭素原子数が１乃至２０のアルキル基又はアリール基を有していてもよい。Ｒ9、Ｒ10、Ｒ12、Ｒ13、Ｒ14、Ｒ15、Ｒ17及びＲ18は、いずれも水素原子である。）
【請求項２】
前記Ｒ1及び前記Ｒ8で表されるフェニル基が、ターシャリーブチル基を有することを特徴とする、請求項１に記載の縮合多環化合物。
【請求項３】
前記Ｒ1及び前記Ｒ8で表されるフェニル基が、フェニル基を有することを特徴とする、請求項１に記載の縮合多環化合物。
【請求項４】
前記Ｒ11及び前記Ｒ16で表されるフェニル基が、ターシャリーブチル基を有することを特徴とする、請求項１乃至３のいずれか一項に記載の縮合多環化合物。
【請求項５】
前記Ｒ11及び前記Ｒ16で表されるフェニル基が、フェニル基を有することを特徴とする、請求項１乃至３のいずれか一項に記載の縮合多環化合物。
【請求項６】
前記Ｒ2乃至前記Ｒ7における置換基の組み合わせが、下記（ａ）乃至（ｃ）のうちのいずれかであることを特徴とする、請求項１乃至５のいずれか一項に記載の縮合多環化合物。
（ａ）Ｒ2及びＲ7が、炭素原子数が１乃至２０のアルキル基又はアリール基であり、Ｒ3、Ｒ4、Ｒ5及びＲ6が、水素原子である
（ｂ）Ｒ3及びＲ6が、炭素原子数が１乃至２０のアルキル基又はアリール基であり、Ｒ2、Ｒ4、Ｒ5及びＲ7が、水素原子である
（ｃ）Ｒ4及びＲ5が、炭素原子数が１乃至２０のアルキル基又はアリール基であり、Ｒ2、Ｒ3、Ｒ6及びＲ7が、水素原子である
【請求項７】
前記Ｒ2乃至前記Ｒ7における置換基の組み合わせが、前記（ａ）であり、前記Ｒ2及び前記Ｒ7が、アリール基であることを特徴とする、請求項６に記載の縮合多環化合物。
【請求項８】
前記アリール基がフェニル基であることを特徴とする、請求項７に記載の縮合多環化合物。
【請求項９】
陽極と陰極と、
該陽極と該陰極との間に挟持される有機化合物層とから構成され、
該有機化合物層のうち少なくとも一層に請求項１乃至８のいずれか一項に記載の縮合多環化合物が含まれることを特徴とする、有機発光素子。
【請求項１０】
前記縮合多環化合物が発光層に含まれることを特徴とする、請求項９に記載の有機発光素子。
【請求項１１】
前記発光層がホストとゲストとから構成されることを特徴とする、請求項１０に記載の有機発光素子。
【請求項１２】
前記ゲストが、前記縮合多環化合物であることを特徴とする、請求項１１に記載の有機発光素子。
【請求項１３】
前記有機発光素子が前記陽極と前記陰極との間に電圧を印加することにより発光することを特徴とする、請求項９乃至１２のいずれか一項に記載の有機発光素子。
【請求項１４】
請求項１３に記載の有機発光素子と、前記有機発光素子を駆動するＴＦＴ駆動回路と、を有することを特徴とする、ディスプレイ。
【請求項１５】
請求項１３に記載の有機発光素子を有することを特徴とする、表示装置。
【請求項１６】
請求項１３に記載の有機発光素子を有することを特徴とする、照明装置。
【手続補正２】
【補正対象書類名】明細書
【補正対象項目名】００１０
【補正方法】変更
【補正の内容】
【００１０】
【化１】
2010037242.tif 000002
（式［１］において、Ｒ1、Ｒ8、Ｒ11及びＲ16は、それぞれフェニル基を表す。ただし、Ｒ1、Ｒ8、Ｒ11及びＲ16で表されるフェニル基には炭素原子数が１乃至２０のアルキル基又はアリール基を有していてもよい。Ｒ2乃至Ｒ7は、それぞれ水素原子、炭素原子数が１乃至２０のアルキル基又はアリール基を表す。尚、Ｒ2乃至Ｒ7のいずれかで表される置換基がアリール基の場合、当該フェニル基には炭素原子数が１乃至２０のアルキル基又はアリール基を有していてもよい。Ｒ9、Ｒ10、Ｒ12、Ｒ13、Ｒ14、Ｒ15、Ｒ17及びＲ18は、いずれも水素原子である。）
【手続補正３】
【補正対象書類名】明細書
【補正対象項目名】００１１
【補正方法】削除
【補正の内容】
【手続補正４】
【補正対象書類名】明細書
【補正対象項目名】００４０
【補正方法】変更
【補正の内容】
【００４０】
以下に本発明の縮合多環化合物の具体例を示す。但し、これらは代表例を例示しただけであり、本発明の縮合多環化合物はこれに限定されるものではない。尚、以下に列挙される具体例のうち、ＡＥ−１、ＡＥ−３〜ＡＥ−１７、ＡＥ−１９、ＡＥ−２１〜ＡＥ−３０、ＡＥ−３２、ＡＥ−３３、ＡＥ−３５〜ＡＥ−４５、ＡＥ−４７〜ＡＥ−６３、ＡＥ−６６、ＡＥ−６９、ＡＧ−１０、ＡＧ−１１、ＡＧ−１３、ＡＧ−２３、ＡＨ−１〜ＡＨ−６、ＡＨ−８〜ＡＨ−１２、ＡＨ−１４、ＡＩ−２、ＡＪ−２、ＡＲ−１４及びＡＲ−１５は、本発明に含まれる。
【手続補正書】
【提出日】平成23年4月14日(2011.4.14)
【手続補正１】
【補正対象書類名】特許請求の範囲
【補正対象項目名】請求項１
【補正方法】変更
【補正の内容】
【請求項１】
１）アルキル変性されていても良いカルボキシビニルポリマー及び／又はその塩と、２）多価アルコール９０質量％以上と、３）メントール及び／又はグリセリルモノメンチルエーテルとを、含有するジェル状化粧料において、前記多価アルコールとして、１気圧２５℃の条件で流動性を有するポリエチレングリコール１０〜３０質量％と、抗菌性多価アルコールとして、１，３−ブタンジオール及び／又はジプロピレングリコールを５〜４０質量％含有することを特徴とする、化粧料。
【手続補正２】
【補正対象書類名】明細書
【補正対象項目名】０００６
【補正方法】変更
【補正の内容】
【０００６】
この様な状況に鑑みて、本発明者らは、温感ジェル状化粧料に於ける、防腐効果を１，２−ペンタンジオールなどの抗菌性多価アルコールで置換し、かかる抗菌性多価アルコールの添加で損なわれた温感付与効果を、メントールやグリセリルモノメンチルエーテルの添加で補う技術を更に発展させ、温感効果を高める技術を求めて、鋭意研究努力を重ねた結果、１）アルキル変性されていても良いカルボキシビニルポリマー及び／又はその塩と、２）多価アルコール９０質量％以上と、３）メントール及び／又はグリセリルモノメンチルエーテルとを含有するジェル状化粧料において、前記多価アルコールとして、１気圧２５℃の条件で流動性を有するポリエチレングリコール１０〜３０質量％と、抗菌性多価アルコールとして、１，３−ブタンジオール及び／又はジプロピレングリコールを５〜４０質量％含有する構成を採用することにより、温感特性の向上が為しうることを見いだし、発明完成させるに至った。即ち、本発明は、以下に示すとおりである。
＜１＞１）アルキル変性されていても良いカルボキシビニルポリマー及び／又はその塩と、２）多価アルコール９０質量％以上と、３）メントール及び／又はグリセリルモノメンチルエーテルとを、含有するジェル状化粧料において、前記多価アルコールとして、１気圧２５℃の条件で流動性を有するポリエチレングリコール１０〜３０質量％と、抗菌性多価アルコールとして、１，３−ブタンジオール及び／又はジプロピレングリコールを５〜４０質量％含有することを特徴とする、化粧料。
＜２＞更に、トウガラシエキスを含有することを特徴とする、＜１＞に記載の化粧料。
＜３＞パラベン類を配合していないことを特徴とする、＜１＞又は＜２＞に記載の化粧料。
＜４＞温感を付与するマッサージ用の化粧料であることを特徴とする、＜１＞〜＜３＞何れか１項に記載の化粧料。
【手続補正３】
【補正対象書類名】明細書
【補正対象項目名】０００８
【補正方法】変更
【補正の内容】
【０００８】
＜１＞アルキル変性されていても良いカルボキシビニルポリマー及び／又はその塩
本発明の化粧料は、アルキル変性されていても良いカルボキシビニルポリマー及び／又はその塩を必須成分として含有することを特徴とする。カルボキシビニルポリマーは化粧料で増粘剤として汎用されているものを使用すれば良く、アルキル変性されたカルボキシビニルポリマーとしては、炭素数１０〜３０に分布したアルキル基でエステル化されたアクリル酸乃至はメタクリル酸とアクリル酸乃至はメタクリル酸のコポリマーが好ましく例示でき、該コポリマーはジビニルエーテルなどによって部分的に架橋構造を有していても良い。この様なアルキル変性カルボキシビニルポリマーには、既に化粧料原料として市販されているものが存し、かかる市販品を購入して利用することが出来る。この様な市販品としては、例えば、グッドリッチ社より市販されている「ペムレンＴＲ−１」「ペムレンＴＲ−２」或いは「カーボポール１３８２」等が好ましく例示できる。特に好ましいものは、アルキル変性されていない、通常のカルボキシビニルポリマーである。又、これらの塩としては、例えば、ナトリウム塩、カリウム塩等のアルカリ金属塩、カルシウム、マグネシウム等のアルカリ土類金属塩、アンモニウム塩、トリエタノールアミン塩、トリエチルアミン塩等の有機アミン塩類、リジン塩、アルギニン塩等の塩基性アミノ酸塩等が好ましく例示できる。特に好ましいものは、多価アルコールにおいて溶解する塩基である、トリエタノールアミンの塩である。本発明の化粧料に於いては、かかるアルキル変性されていても良いカルボキシビニルポリマー及び／又はその塩は、唯一種を含有させることも出来るし、二種以上を組み合わせて含有させることも出来る。本発明の化粧料に於いて、かかるアルキル変性されていても良いカルボキシビニルポリマー及び／又はその塩の好ましい含有量は、０．０５〜１質量％であり、より好ましくは０．１〜０．７質量％である。
【手続補正４】
【補正対象書類名】明細書
【補正対象項目名】０００９
【補正方法】変更
【補正の内容】
【０００９】
＜２＞本発明の化粧料の必須成分であるメントール 及び／又はグリセリルモノメンチルエーテル
本発明の化粧料は、メントール 及び／又はグリセリルモノメンチルエーテルを必須成分として含有することを特徴とする。かかる成分は、必須成分である１気圧、２５℃で液状のポリエチレングリコールを含む多価アルコールの発生させる水和熱による温感を増感せしめ、心地よい、非常に温かい刺激として生体に感じせしめる作用を有する。この様な作用を発揮するためには、かかる成分は、化粧料中に、０．１〜２質量％含有させるのが好ましく、より好ましくは０．２〜１質量％である。これは少なすぎると増感効果を得られない場合が存し、多すぎると温感を越えて、刺激感を感じる場合が存するためである。特に好ましい形態としては、温感増感効果はあまり大きくないが、増感効果の持続性に優れるグリセリルモノメンチルエーテルのみを含有させる形態が例示できる。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
下記（ａ）成分、（ｂ）成分及び（ｃ）成分を含有し、組成物中の（ａ）成分の含有量が５〜９２質量％、（ａ）成分と（ｂ）成分の質量比が、（ａ）成分／（ｂ）成分＝１００／１〜１／１、（ａ）成分と（ｃ）成分の質量比が、（ａ）成分／（ｃ）成分＝１５／１〜１／１５である、着香剤組成物。
（ａ）成分：アルデヒド系香料成分から選ばれる少なくとも１種
（ｂ）成分：酸化防止剤
（ｃ）成分：シリコーン
【請求項２】
（ｂ）成分が、ブチル化ヒドロキシトルエン（ＢＨＴ）、ブチル化ヒドロキシアニソール（ＢＨＡ）及びトコフェロールから選ばれる少なくとも１種である請求項１記載の着香剤組成物。
【請求項３】
（ｃ）成分が、ジメチルポリシロキサン、ポリエーテル変性シリコーン、アミノ変性シリコーン、アルキル変性シリコーン、エポキシ変性シリコーン、カルボキシ変性シリコーンから選ばれる少なくとも１種である請求項１又は２記載の着香剤組成物。
【請求項４】
（ａ）成分が、ノニルアルデヒド、デシルアルデヒド、ウンデシルアルデヒド、ドデシルアルデヒド、２，６−ノナジエナール、ウンデシレンアルデヒド、シトラール、シトロネラール、ミラックアルデヒド、リラール、ベルンアルデヒド、ベンズアルデヒド、フェニルアセトアルデヒド、シンナミックアルデヒド、ヘキシルシンナミックアルデヒド、アニスアルデヒド、ｐ−エチル−２，２−ジメチルヒドロシンナムアルデヒド、ヘリオトロピン、ヘリオナール、バニリン、エチルバニリン、マイラックアルデヒド、アミルシンナミックアルデヒド、シクラメンアルデヒド、リリアールから選ばれる少なくとも１種のアルデヒド系香料成分である請求項１〜３のいずれか１項に記載の着香剤組成物。
【請求項５】
請求項１〜４のいずれか１項に記載の着香剤組成物を０．１〜５質量％含有する繊維処理剤。
【請求項６】
請求項１〜４のいずれか１項に記載の着香剤組成物を繊維製品に処理する、繊維製品の賦香方法。
【請求項７】
請求項１〜４のいずれか１項に記載の着香剤組成物の製造方法であって、
（ａ）成分、（ｂ）成分及び（ｃ）成分を、着香剤組成物中の（ａ）成分の含有量が５〜９２質量％、（ａ）成分と（ｂ）成分の質量比が、（ａ）成分／（ｂ）成分＝１００／１〜１／１、（ａ）成分と（ｃ）成分の質量比が、（ａ）成分／（ｃ）成分＝１５／１〜１／１５となるように混合する、着香剤組成物の製造方法。